(57)【要約】【課題】  アンカー体の本数を減少させながら受圧板上の支点を増やすことで経済性に優れ、全体作業の省力化にも繋がる土留用アンカーを提供する。【解決手段】  壁体３には鉛直方向に二箇所の取付金具１１を埋設し連結金具１２を用いて一本のボルト７と連結する。連結金具１２はボルト７の頭部に係止する分岐型自在継手１３と各取付金具１１の後部に接続する相対型自在継手１４と両自在継手間に介在する二本の連結棒１５からなる。分岐型自在継手１３はボルト７及び連結棒１５に螺着するカップラー１６，１７と環状部材１８を備える。各カップラー１６，１７には夫々貫通孔が穿設されており環状部材１８を遊挿する。取付金具１１は鉛直方向に限らず水平方向に配設するものでもよい。【選択図】        図１
2005226408.tif 000002
【特許請求の範囲】
【請求項１】
土留壁体に取り付け裏込土内に突出する取付金具と、地盤内に固定するアンカー体と、これらの取付金具及びアンカー体を接続する連結金具を備える土留用アンカーにおいて、前記連結金具は、一本のアンカー体の頭部と複数個の取付金具の後部を複数本の連結棒で接続する分岐型自在継手を有することを特徴とする土留用アンカー。
【請求項２】
前記連結棒は、前記取付金具に相対型自在継手を介して接続することを特徴とする請求項１記載の土留用アンカー。
【請求項３】
前記分岐型自在継手は、前記アンカー体の頭部に係止して前部側方に貫通孔を穿設するアンカー体用の筒体と、前記各連結棒の後端に係止して後部側方に貫通孔を穿設する連結棒用の筒体と、これら一のアンカー体用筒体と複数個の連結棒用筒体に夫々穿設する貫通孔に遊挿して各筒体を連結する環状部材を備えることを特徴とする請求項１記載の土留用アンカー。
【請求項４】
前記アンカー体用筒体及び連結棒用筒体は、アンカー体又は連結棒に螺着するカップラーであることを特徴とする請求項３記載の土留用アンカー。
【発明の詳細な説明】
【技術分野】
【０００１】
この発明は、切盛土工に設ける土留壁体を支持するアンカーに関し、特に土留壁体とアンカー体とを自在継手で接続する土留用アンカーに関する。
【背景技術】
【０００２】
土留壁体をアンカーバーで直接固定すると裏込め土の沈下や壁体の変位により接続部分に応力集中が起こりアンカーバーに損傷・破断が生ずる恐れがあったため、この種の土留工ではアンカーバーと壁体との間に生じる相対変位に対して対処可能な、又アンカーバーと取付金具の軸方向を厳密に直線上に置かなくとも接続可能なアンカーが必要であり、このようなアンカーとしては、例えば下記に示すような従来技術があった。
【特許文献１】特開２０００−２６５４６４公報
【特許文献２】特開２００２−８１０７５公報
【０００３】
この従来の土留用アンカーは、コンクリートパネル又はコンクリート製の柱体あるいは鋼材で補強された鋼製網からなる受圧板等と、地盤内に固定するアンカー体とを自在継手状に作用する連結金具を用いて接続する構造であった。
【発明の開示】
【発明が解決しようとする課題】
【０００４】
しかし、アンカー体である鋼材の引張力を用いて、土の安定に必要な水平力を確保しようとする時には、地盤の持つ固定力や鋼材の耐力には十分な余裕が存在する場合であっても、受圧板のバランスを図る為に、複数本の鋼ボルトを用意しなければならないケースが多く存在しているのが現状であった。
【０００５】
例えば、所謂グリーンベンチ工法では、図８に示すように、急傾斜地の斜面２に壁体立設用の平坦部４を形成し、この平坦部４に土留壁体３を略垂直に載置すると共に地山１に形成する立ち上がり部６にボルト孔５を穿設し、これに挿入固定したアンカー７を壁体３に略直交して接続し、この壁体背面に樹木の生育に好適な土砂８を裏込して壁体頂部に植樹帯９を形成し、樹木１０の成長により地盤の強化を図っているが、従来の土留工では、土留壁体３として使用するコンクリートパネルが高さ１．５ｍ程度であっても、これを鉛直方向に配設する２本のアンカー７，７で支持していた。これは、背面下部の裏込土８ａを投入転圧する際に土留壁体３が回動してしまうのを防止するためで、完成時には１本のアンカーでも十分に支持できる構造であった。
【０００６】
又土からの土圧を主体とする水平力は、受圧板の裏面全域に広がる分布荷重なので、その支点の数が多いほど土留壁体３を薄くすることが可能で、上記のようにアンカーを増やすとこの点では経済性が生まれるが、反面アンカー７を地山１の中へ固定する際、ボルト孔５の削孔や定着ボンドとしてのセメントミルクの固結等に多大な手間と時間を要しており、土留壁体３が薄くなってもアンカー７の本数が増加すればコスト的にも時間的にも不利で寧ろ不経済な結果を招いてしまうというジレンマが存在した。
【０００７】
また盛土の土留工において鉛直方向に複数列のアンカーを埋設する場合は、盛土作業を複雑化させる要因となり、更にアンカー埋設作業は一連の土留作業における主要部を占めることとなるので、その本数を減らすことは全体作業の省力化及び材料の節減に大きな効果を及ぼすことになると期待されていた。
【０００８】
この発明は、上記のような従来の土留用アンカーが有する問題点を解消すべくなされたものであり、アンカー体の本数を減少させながら受圧板上の支点を増やすことで経済性に優れ、全体作業の省力化にも繋がる土留用アンカーを提供することを目的としている。
【課題を解決するための手段】
【０００９】
上記課題を解決するため、この発明の土留用アンカーは、土留壁体に取り付け裏込土内に突出する取付金具と、地盤内に固定するアンカー体と、これらの取付金具及びアンカー体を接続する連結金具を備える土留用アンカーにおいて、前記連結金具は、一本のアンカー体の頭部と複数個の取付金具の後部を複数本の連結棒で接続する分岐型自在継手を有することを特徴とするものである。
【００１０】
土留壁体としてはコンクリートパネル、コンクリート製の柱体に間伐材を水平に設置してパネル状に形成する構造のもの、鋼管製の柱体に鋼板及び鋼製網を取り付け外面に間伐材を立設係止するもの、あるいは鋼材で補強された鋼製網を受圧板として立設し前面に受圧板補強用の間伐材を立設係止する構成等各種の土留壁体に適用できる。コンクリートパネルあるいはコンクリート製柱体に設置する取付金具は、取扱いを容易とするため、ねじ節鉄筋等の全ねじ状の棒状部材とこれを螺着する埋込部材を設け、鋼製網を受圧板とする場合には、矩形又は円形に形成する支持板と、これを挿通して頭部を拡張若しくは頭部に係止部材を設ける全ねじ状の棒状部材を用いることが望ましい。
【００１１】
これら全ねじ状の棒状部材は連結棒を兼ねるものでもよい。その場合には取付金具と分岐型自在継手を直接接続することになるので壁体側端部を適宜曲折する。
【００１２】
従来土留工は略一直線上の引張力の釣合いによって安定を得ていたが、地盤が受け持つ反力を分岐する場合には３方向以上の引張力の釣合いが必要になる。即ち地盤に固定されるアンカー体の軸力方向のみならず、それと直角方向の釣合いをも考慮する必要がある。
【００１３】
一本のアンカー体に接続する複数個の取付金具は、鉛直方向に限らず水平方向に配設するものでもよい。受圧板が弧状となる場合、放射方向に連結棒を配置すれば一本のアンカー体と複数個の取付金具の合理的な連結ができる。又直線状に並ぶ複数の受圧板をまとめて支持することもできる。また分岐した連結棒同士の力のバランスを利用すれば、力の方向を変えたり打ち消し合うことにも応用できる。
【００１４】
分岐型自在継手は、アンカー体に作用する軸力を複数方向に分岐するための部材で、分岐方向は鉛直・水平方向の何れか、あるいはその両方向を組み合わせたもの、例えば上段水平二方向と下段水平二方向とするものでもよい。
【００１５】
請求項２記載の土留用アンカーの連結棒は、前記取付金具に相対型自在継手を介して接続することを特徴とするものである。相対型自在継手は、土留壁体から直角に突出する取付金具に対し角度を付けた状態で連結棒をアンカー体頭部方向に向かわせるための部材であり、自在継手の構造は公知のものでもよい。
【００１６】
請求項３記載の土留用アンカーの分岐型自在継手は、前記アンカー体の頭部に係止して前部側方に貫通孔を穿設するアンカー体用の筒体と、前記各連結棒の後端に係止して後部側方に貫通孔を穿設する連結棒用の筒体と、これら一のアンカー体用筒体と複数個の連結棒用筒体に夫々穿設する貫通孔に遊挿して各筒体を連結する環状部材を備えることを特徴とするものである。
【００１７】
環状部材は例えば直径９ｍｍ程度の鋼棒を半円形に曲げ、重ね合わせた部分を溶着して閉じたリングとする。筒体の各貫通孔と環状部材には間隙を設け、アンカー体頭部に対し任意の方向から向ってくる連結棒に接続可能とする。分岐方向が鉛直・水平方向の何れかの場合には一個の環状部材とするが、両方向を組み合せる時には二個の環状部材をアンカー体用筒体に取り付ける。
【００１８】
請求項４記載の土留用アンカーのアンカー体用筒体及び連結棒用筒体は、アンカー体又は連結棒に螺着するカップラーであることを特徴とするものである。アンカー体及び連結棒は少なくとも端部に雄ねじを螺刻するもので、例えばねじ節鉄筋を用いる。
【発明の効果】
【００１９】
この発明の土留用アンカーは、一本のアンカー体の頭部と複数個の取付金具の後部を分岐型自在継手で接続するので、アンカー体と土留壁体の間でモーメントやせん断力の伝達を遮断すると同時に、地盤が受け持つ反力を分岐することができ、アンカー体の本数を増やすことなく受圧板上の支点を増やすことが可能となり、双方に合理性が生まれ、全体的に高い経済性が実現し、土留工構築時の全体作業の省力化にも繋がる。
【００２０】
請求項２記載の土留用アンカーの連結棒は取付金具に相対型自在継手を介して接続するので、連結棒を曲折加工しなくともよい。
【００２１】
請求項３記載の土留用アンカーの分岐型自在継手は、アンカー体用筒体と複数個の連結棒用筒体を環状部材で連結するので、略全方向の回転を可能とし、簡易な構成であっても分岐型自在継手として機能する土留用アンカーを実現することができる。請求項４記載の土留用アンカーのアンカー体用筒体及び連結棒用筒体は、アンカー体又は連結棒に螺着するカップラーを用いるので筒体の取り付けが簡易となる。
【発明を実施するための最良の形態】
【００２２】
次にこの発明の実施の形態を添付図面に基づき詳細に説明する。図１は急傾斜地に施工する土留工の断面図である。この土留工が適用される地山１はボルトの植込みが可能な地質であって安定している斜面である。このような急傾斜地の斜面２を削って壁体３を設置するための平坦部４を等高線に沿って形成すると共にボルト孔５を穿設するための立上り部６を適宜形成する。
【００２３】
壁体３は地山１に略水平に設置する一本のボルト７で支持され、その背面には樹木の生育に好適な裏込土８を投入して頂部に水平もしくは緩勾配の植樹帯９を段々に形成し、各段には壁体３を覆うような樹木１０を植える。この壁体３は１．５メートル程度の高さであって、各段毎に形成していく。
【００２４】
壁体３には鉛直方向に二箇所の取付金具１１，１１を埋設し、これらを連結金具１２を用いて一本のボルト７と連結する。連結金具１２は、ボルト７の頭部に係止する分岐型自在継手１３と、各取付金具１１，１１の後部に接続する相対型自在継手１４，１４と、これら両自在継手間に介在する二本の連結棒１５，１５からなる。
【００２５】
分岐型自在継手の詳細を図２に基づき説明する。図２は、分岐型自在継手の断面図である。分岐型自在継手１３はボルト７の頭部に螺着するカップラー１６と、二本の連結棒１５，１５に螺着するカップラー１７，１７とこれらカップラー１６，１７を連結する環状部材１８を備える。各カップラー１６，１７には夫々貫通孔１６ａ，１７ａが穿設されており、これに遊挿する環状部材１８は鋼棒を曲折して形成した２本の略半円体１８ａ，１８ａを用い、各カップラー１６，１７に遊挿した後、重合部を溶着する。
【００２６】
次に相対型自在継手の詳細を図３に基づき説明する。図３は、相対型自在継手の断面図である。相対型自在継手１４は壁体３から直角に突出する取付金具１１に対し角度を付けた状態で連結棒１５を分岐型自在継手１３の方向に向かわせるための部材である。ここで取付金具１１は、壁体３のコンクリートパネル又はコンクリート製の柱体に埋め込まれる埋込部材１９と、これに螺着するねじ節鉄筋２０からなる。
【００２７】
相対型自在継手１４は、このねじ節鉄筋２０と連結棒１５に螺着する一対のカップラー２１，２２と両カップラーを連結する環状部材２３を備える。この環状部材２３も各カップラー２１，２２に穿設する貫通孔２１ａ，２２ａに遊挿されている。
【００２８】
次に土留壁体として鋼材で補強された鋼製網を受圧板として用いる実施形態を図４に基づき説明する。図４は鋼製網の受圧板に係止する相対型自在継手の断面図である。なお、図４に示す部材において図３で説明した部材と同様な構成、作用を有するものは同一の符号を付して説明は省略する。
【００２９】
ここで壁体は型鋼で補強された鋼製網１０３を用いる。取付金具１１１は、鋼製網１０３の前面より差込むねじ節鉄筋２０と、鋼製網１０３との間に介在する支持板２４と、その外部より螺着するナット２５からなる。このナット２５は支持板２４との当接面が略球体状となったコマナットを用いるのが望ましい。接触面を球形とすることによりねじ節鉄筋２０等の回転への順応を可能とする。
【００３０】
なお、相対型自在継手は環状部材を用いない公知の構造のものでもよい。その一例を図５に示す。この相対型自在継手２１４は、壁体２０３に埋設される取付金具２１９と連結棒１５を回動自在に連結する組合せ筒体２６で、取付金具２１９に形成する球面状拡張部２１９ａと連結棒１５に螺着する球面状ナット１５ａを、その内面に形成する球状内周面で包時する構成である。
【００３１】
次に土留壁体にガードレールの廃材を活用する実施形態を図６に基づき説明する。この土留壁体３０３はガードレールポスト３０３ａを地盤面３０４に打ち込んで直立させた後、鋼製網３０３ｂとガードレール３０３ｃを二個の取付金具３１１，３１１を用いて係止する構成で、外面には間伐材３０３ｄを立設係止する。
【００３２】
この取付金具３１１を連結金具１２を用いて一本のボルト７と連結する。この土留用アンカーは図示しない盛土内に埋設するもので、ボルト端部にはアンカープレート７ａを係止しておく。連結金具１２は、前述したようにボルト７の頭部に係止する分岐型自在継手１３と、各取付金具３１１，３１１の後部に接続する相対型自在継手１４，１４と、これら両自在継手間に介在する二本の連結棒１５，１５からなる。
【００３３】
以上説明した土留用アンカーは、連結金具に相対型自在継手を備えるものであるが、これを省略して取付金具と分岐型自在継手を直接接続する構成としてもよい。この実施形態を図７に基づき説明する。壁体４０３を構成するエキスパンドメタル枠４０３ａは、二個の取付金具４１１，４１１に螺着する二本の連結棒４１５，４１５を分岐型自在継手１３を介してボルト７に接続する構成で、全ねじ状の連結棒４１５は壁体側端部を適宜曲折する。
【００３４】
取付金具４１１は、エキスパンドメタル枠４０３ａの前面に突出する連結棒４１５にコマナット４１１ａを螺着し、その背面にある支持板４１１ｂと角座金４１１ｃ及び角ナット４１１ｄによってエキスパンドメタル枠４０３ａに止着する。なお、裏込土８と壁体４０３との間にはシート状の土砂流出防止材４０３ｅを展開し、外面には間伐材４０３ｆを立設係止する。又、裏込土８の下端隅部には集水管８ａを布設し、その周囲を砕石８ｂにて防護する。この土留壁は１．５メートル程度の高さが望ましく、このような構成にするとコスト的に有利になる。
【産業上の利用可能性】
【００３５】
この発明の土留用アンカーは、所謂グリーンベンチ工法に限定されるものではなく、地盤の持つ固定力やアンカー体としての鋼材の耐力に十分な余裕が存在する土留工であって、連結金具に使用する環状部材が支持し得る土圧であれば、一般の土留工にも適用できる。
【図面の簡単な説明】
【００３６】
【図１】土留工の断面図である。
【図２】分岐型自在継手の断面図である。
【図３】相対型自在継手の断面図である。
【図４】鋼製網の受圧板に係止する相対型自在継手の断面図である。
【図５】組合せ筒体を用いる相対型自在継手の断面図である。
【図６】土留壁体にガードレールの廃材を活用する実施形態の斜視図である。
【図７】他の実施形態の土留工の断面図である。
【図８】従来の土留工の断面図である。
【符号の説明】
【００３７】
３  壁体
７  ボルト
１１  取付金具
１２  連結金具
１３  分岐型自在継手
１４  相対型自在継手
１５  連結棒
１６  カップラー
１７  カップラー
１８  環状部材
【図１】
2005226408.tif 000003
【図２】
2005226408.tif 000004
【図３】
2005226408.tif 000005
【図４】
2005226408.tif 000006
【図５】
2005226408.tif 000007
【図６】
2005226408.tif 000008
【図７】
2005226408.tif 000009
【図８】
2005226408.tif 000010